(57)【要約】【課題】主巻線に通電する電流が小電流から大電流の広範囲の電流において高調波歪の発生を低減したリアクタンスが可変な電磁機器を提供する。【解決手段】対称的に四つの閉磁路で田の字状磁路を形成する磁心を有し、主磁束が前記田の字状磁路における十字状磁路の第１の直線磁路を通り、該十字の交点で対向して対称的に四つの閉磁路を還流するように交流主巻線が巻回され、制御磁束が前記十字状磁路の第２の直線磁路を一方向に通って対称的に二つの磁路を還流するように直流制御巻線を巻回し、制御磁束の制御により主磁束と制御磁束の共通磁路の磁気抵抗を調整する。前記田の字状磁路を形成する磁心の主磁束が還流する四つの各々閉磁路部の一部を非磁性部介在させることにより主磁束が還流する磁路の磁化特性を改善し高調波の発生を低減する。【選択図】図１
2008004754.tif 000002
【特許請求の範囲】
【請求項１】
対称的に四つの閉磁路で田の字状磁路を形成する磁心を有し、
主磁束が前記田の字状磁路における十字状磁路の第１の直線磁路を通り、該十字の交点で対向して対称的に四つの閉磁路を還流するように交流主巻線が巻回され、
制御磁束が前記十字状磁路の第２の直線磁路を一方向に通って対称的に二つの磁路を還流するように直流制御巻線を巻回し、
制御磁束の制御により主磁束と制御磁束の共通磁路の磁気抵抗を調整する電磁機器であって、
前記田の字状磁路を形成する磁心において、主磁束が還流する四つの閉磁路の各々は、少なくとも一部が非磁性部で構成されていることを特徴とする電磁機器。
【請求項２】
前記非磁性部は、田の字状磁路の主磁束が還流する四つの閉磁路に、十字状の第２の直線磁路部に対して対称的に設けることを特徴とする請求項１に記載の電磁機器。
【請求項３】
前記非磁性部は、田の字状磁路における十字状の第１の直線磁路部に設けることを特徴とする請求項１又は２に記載の電磁機器。
【請求項４】
前記磁心は、Ｉ字状磁心とＥ字状磁心で形成される三脚磁心二組を重ねて田の字状に構成することを特徴とする請求項１〜３の内の１に記載の電磁機器。
【請求項５】
前記磁心は、Ｅ形カットコアを対向させた形成される三脚磁心二組を重ねて田の字状に構成することを特徴とする請求項１〜３の内の１に記載の電磁機器。
【請求項６】
前記磁心はＩ字状磁心に二個のＥ状磁心を対向させて田の字状に構成することを特徴とする請求項１から３の内の１に記載の電磁機器。
【発明の詳細な説明】
【技術分野】
【０００１】
この発明は、主巻線に通電する電流が小電流から大電流の広範囲の電流において高調波歪の発生を低減したリアクタンスが可変な電磁機器であり、特に電力系統に直列に挿入するのに好適な電磁機器に関する。
【背景技術】
【０００２】
主巻線の励磁電流に影響されることなく、高調波歪みを低減し、リアクタンスを可変でき、電力系統に直列に接続可能な従来の技術としては、本出願人が先に提案した電磁機器（特許文献１）がある。
【０００３】
図１０は、本出願人が先に提案した電磁機器の一例を説明するための接続図である。この電磁機器は、田の字状磁心３３に第１主巻線３１ａ、第２主巻線３１ｂ、制御巻線３２ａ、３２ｂ、３２ｃ及び３２ｄを巻回し、直列に接続した制御巻線の開放端子側に制御回路３４を接続した構成である。
主巻線の開放端に交流電源を接続し、制御巻線に直流制御電流Ｉｃを流すと、制御巻線３２ａ、３２ｂ、３２ｃ、３２ｄにおいて、制御巻線の巻数と直流制御電流Ｉｃの積で表される起磁力が発生することで、制御磁束φｃ３１及びφｃ３２と主磁束φ３１ａ、φ３１ａ’及びφ３１ｂ、φ３１ｂ’が同方向となる共通磁路部分の磁束密度が大となって透磁率が変化することにより主磁束が制御されリアクタンスが低下する。
これにより、上記電磁機器は、主巻線に通電する電流が変化した場合においても、直流制御電流によりリアクタンスを可変にすることができる。
【特許文献１】特開２００３−０６８５３９号公報
【発明の開示】
【発明が解決しようとする課題】
【０００４】
上記電磁機器を電力系統へ直列に接続して使用する場合、電力系統の電流は負荷が軽いときは小電流になり、反対に重負荷の場合は大電流となり、時間により広範囲に変動するので、主巻線に通電する電流は小電流から大電流に広範囲に変化することになる。
図１１は、電磁機器の磁心の磁化特性を示すもので、縦軸は磁束密度Ｂ、横軸は起磁力Ｈであり、主巻線の巻数×電流により発生する起磁力Ｈと磁心の磁束密度Ｂの関係を表すものだが強い非線形性を示している。
そのため、電力系統の負荷が軽く、系統電流が小さい、つまり主巻線の通電電流が小さい場合、磁心の持つ磁化特性の非直線性影響により高調波が生じることになる。
また、図１２（Ａ）に示すようにリアクタンスの可変制御においても直流制御電流を流さない領域乃至小さい領域においても同様の問題があった。
このため、従来構造では、図１２（Ｂ）に示すように電磁機器の動作領域を起磁力Ｈと磁束密度Ｂの関係が急峻に変化する非線形領域から外れるように常時一定の直流制御電流を流して使用する必要があった。
【０００５】
しかし、一定値以上の直流制御電流を流すため、直流制御電流による損失が常に発生すること、制御回路に異常が発生し、直流制御電流が流れなくなった場合に大きな高調波歪みが発生すること、などの問題があった。
本発明は、上述のような実情に鑑み、磁気回路の構造及び巻線の巻装構造が簡単で、リアクタンスを可変でき、電力系統に直列に接続可能で、直流制御電流を流さない領域乃至小さい領域を含めた全領域において、高調波歪みが小さく、リアクタンス制御可能な電磁機器を提供することを課題とする。
【課題を解決するための手段】
【０００６】
本発明は、対称的に四つの閉磁路で田の字状磁路を形成する磁心を有し、主磁束が前記田の字状磁路における十字状磁路の第１の直線磁路を通り、該十字の交点で対向して対称的に四つの閉磁路を還流するように交流主巻線が巻回され、制御磁束が前記十字状磁路の第２の直線磁路を一方向に通って対称的に二つの磁路を還流するように直流制御巻線を巻回し、制御磁束の制御により主磁束と制御磁束の共通磁路の磁気抵抗を調整する電磁機器であって、前記田の字状磁路を形成する磁心において、主磁束が還流する四つの閉磁路の各々は、少なくとも一部が非磁性部で構成されていることを特徴とするものである。
さらに、前記非磁性部は、田の字状磁路の主磁束が還流する四つの閉磁路に、十字状の第２の直線磁路部に対して対称的に設けると良い。
また、前記非磁性部は、田の字状磁路における十字状の第１の直線磁路部に設けることを特徴とする。これにより、制御磁束がとおる磁路には非磁性部が介在しないので、制御電流を小さくでき、制御に伴う損失が低減でき機器の効率が向上する。
【発明の効果】
【０００７】
本発明によれば、磁気回路の構造及び巻線の巻装構造が簡単で、タップ等を設けることなく、負荷電流に拘わらず、高調波電流を抑制し、広範囲にリアクタンスを可変する電磁機器を実現することができ、近年の電力需要の増大や負荷の多様化により、系統電圧の変動等負荷の多様化に対応できるフレキシブルな電力設備の提供がはかられ、電力系統の電圧安定化や力率及び潮流のより適切な制御に寄与できる。
【発明を実施するための最良の形態】
【０００８】
図１は、ＥＩ鉄心を用いて本発明による電磁機器を構成した例であり、田の字状磁心は、第１のＥ形磁心４ａと第２のＥ形磁心４ｂを、磁心窓部が４個所形成されるようにＩ形磁心５に対し対称に対向させ、さらに、第１のＥ形磁心４ａと第２のＥ形磁心４ｂの各々に非磁性部７ａ、７ｂを配置し、第１のＥ形磁心４ａとＩ形磁心５の接合面及び第２のＥ形磁心４ｂと第２のＩ形磁心５の接合面は、磁心を構成する各々の積層鋼板を平行になるように突き合わせて構成する。非磁性部７ａ、７ｂは、通過する磁束量にかかわらず透磁率が一定であるもので、空隙を設け、また、非磁性体を介在させて形成できる。
【０００９】
第１のＥ形磁心４ａの中央脚に第１主巻線１ａを巻回し、第２のＥ形磁心４ｂの中央脚に第２主巻線１ｂを巻回す。主巻線１ａ及び１ｂを、両主巻線から生じる磁束φ１ａ及びφ１ｂが対向し、Ｉ形磁心５を対称的に通るように直列に接続する。
【００１０】
第１のＥ形磁心４ａの外脚には制御巻線２ａ及び２ｂを巻回し、第２のＥ形磁心４ｂの外脚には制御巻線２ｃ及び２ｄを巻回し、主巻線による磁束で制御巻線２ａ及び２ｂ、２ｃ及び２ｄに生じる誘起電圧が開放端子側でそれぞれ打ち消されるように全制御巻線を直列に接続し、その開放端子側に制御回路６を接続する。
これにより主磁束φ１ａ、φ１ａ’、φ１ｂ、φ１ｂ’は、対称的に四つの閉磁路を還流する。
【００１１】
また、制御巻線は、２ａ、２ｂ、２ｃ、２ｄのうち、任意の２巻線を、生じる誘起電圧がそれぞれ打ち消されるように接続した一組と、同様に接続した、残る２巻線一組を直列または並列接続とし、その開放端子側に制御回路６を接続することもできる。
これにより、制御磁束φｃ１、φｃ２はＩ形磁心５を一方向に通って対称的に二つの磁路を還流する。
【００１２】
図１において、主巻線の開放端に交流電源を接続し、図示矢印方向の電流ＩＬ１が流れていたとする。なお、電流ＩＬ１を正サイクルとした場合、負サイクルでは電流ＩＬ２が流れる。電流ＩＬ１が流れると、磁路には主巻線１ａによる主磁束φ１ａ及び主磁束φ１ａ’、並びに主巻線１ｂによる主磁束φ１ｂ及び主磁束φ１ｂ’がそれぞれ発生する。逆に、電流ＩＬ２が流れた場合についてはそれぞれ前記と逆向きの主磁束が発生する。
【００１３】
発生した主磁束は、制御巻線に直流制御電流Ｉｃを流さない場合にはそれぞれ四つの閉磁路を通過し、主巻線には巻数と鉄心の磁気抵抗及び非磁性部７ａ、７ｂの磁気抵抗に応じたリアクタンスが発生する。制御巻線を巻回した鉄心部及びＩ形磁心部は、制御磁束φｃ１及びφｃ２と主磁束φ１ａ、φ１ａ’及びφ１ｂ、φ１ｂ’との共通磁路となる。
【００１４】
主巻線に電流ＩＬ１、ＩＬ２を流した状態で制御巻線に直流制御電流Ｉｃを流すと、制御巻線２ａ、２ｂ、２ｃ、２ｄにおいて、制御巻線の巻数と直流制御電流Ｉｃの積で表される起磁力が発生することで、制御磁束φｃ１及びφｃ２と主磁束φ１ａ、φ１ａ’及びφ１ｂ、φ１ｂ’が同方向となる共通磁路部分の磁束密度が大となって透磁率が変化し、主磁束が制御されリアクタンスが低下する。
【００１５】
主巻線に流れる電流ＩＬ１、ＩＬ２あるいは直流制御電流Ｉｃを増加させることにより共通磁路が磁気飽和状態に近づくと、主巻線１ａ及び１ｂより発生する主磁束がＩ形磁心５に対して対称をなす方向となるように主巻線を分割して接続しているため、増加する主磁束φ１ａ及び主磁束φ１ａ’と増加する主磁束φ１ｂ及び主磁束φ１ｂ’は互いに相殺される。一対の主巻線１ａ及び１ｂによる主磁束の増加分が閉磁路を環流しないので、互いの主巻線の起磁力を相殺することになる。
【００１６】
また、主巻線に流れる電流ＩＬ１、ＩＬ２が増加しても、共通磁路が一定の磁束密度に保たれるように、増加する主巻線１ａによる主磁束と主巻線１ｂによる主磁束は相殺されるため、直流制御電流Ｉｃを制御することにより主磁束が制御でき、リアクタンスを可変することができる。即ち、主巻線に流れる電流に拘わらず、制御巻線に直流制御電流Ｉｃを流すことでリアクタンスを可変することができる。
【００１７】
非磁性部７ａ、７ｂを設けたことにより電磁機器の磁化特性が改善され、広範囲の主電流の通電に対して高調波が低減でき、また、常時制御電流を通電する必要もないことを説明する。
図１１に磁心の磁化特性を示したが、ここで起磁力Ｈと磁束密度Ｂ、透磁率μ、磁気抵抗Ｒの関係を整理すると、
Ｂ＝μＨ，  Ｒ∝１／μ  という関係が成立している。
図２は、非磁性部７ａ、７ｂの磁化特性であり、非磁性部の透磁率はμ0で一定であることから無歪である。
そこで、非線形な特性を持つ磁心と線形な特性を持つ非磁性部とを適宜組み合わせることにより、歪み特性に優れた可変リアクトルの磁路を構成することが考えられる。
図３は、電磁機器の磁心の磁化特性と上記の非磁性部の磁化特性を示し、両者を適宜組合わせた磁気回路の合成磁化特性のイメージを示している。
具体的には、磁束密度変化による透磁率変化のない非磁性部の磁気抵抗が、直流制御電流を流さない領域乃至小さい領域における磁心の磁気抵抗に対し十分大きくなるように非磁性部の厚さを設定し、主巻線電流によって磁心部の磁気抵抗が非線形に変化しても、非磁性部と磁心からなる磁気回路全体の合成磁気抵抗が大幅に変化しないように構成する。
【００１８】
つまり、主巻線に流れる電流変化に起因する磁心部の磁気抵抗変化に対して、非磁性部の磁気抵抗が十分に大きく、交流磁気回路全体に対して支配的であるように設定することができれば、主巻線に流れる電流が変化した場合においても、リアクタンスの非線形な変化が抑制され高調波歪みが減少することになる。
【００１９】
図３に示すように、磁心の透磁率が急峻に変化する歪領域において非磁性部の線形な特性を組合せることにより、線形性の高い合成特性を実現可能であることを示している。
【００２０】
このように、電磁機器の磁気回路の磁化特性が磁気飽和による磁心の非線形性に比して、磁気飽和しない非磁性部の直線性が支配的になるように非磁性部の厚さを設定することにより、主巻線に流れる電流の変化によるリアクタンスの非線形な変化を抑制した電磁機器を構成できる。
図４（Ａ）は、本発明によるリアクタンスの制御特性例を示したもので、縦軸はリアクタンス、横軸は直流制御電流Ｉｃを表している。直流制御電流Ｉｃを増加させることによりリアクタンスを可変でき、非磁性部の厚さを調整することにより直流制御電流Ｉｃを流さない場合のリアクタンス値を設定できる。
【００２１】
図４（Ｂ）は、本発明による電磁機器に直流制御電流Ｉｃを流した場合の、励磁電流の高調波歪み率特性例を示したもので、縦軸は高調波歪み率、横軸はリアクタンスを表している。非磁性部が無い場合には、直流制御電流Ｉｃが小さく、リアクタンスが大きいほど、高調波歪み率特性が悪化するが、非磁性部を配置することにより、リアクタンスの大きい領域において、高調波歪み率が低下する。
【００２２】
これは、非磁性部がない場合には非線形な磁気特性を持つ磁気回路のみで構成されていたものが、非磁性部を配置することにより、磁路の一部が線形性の高い磁気回路となり、非線形な磁気回路との合成回路になることから、非線形性が改善されるためである。
【００２３】
以上のように、本発明によれば、Ｅ形磁心４ａ、４ｂ及びＩ形磁心５で構成される磁心部に、非磁性部を配置することにより、磁気回路の構造及び巻線の巻装構造が簡単で、主巻線電流の影響を受けずにリアクタンスを可変でき、直流制御電流を流さない領域乃至小さい領域を含めた全領域において、高調波歪みが小さく、電力系統に直列に接続可能な電磁機器を、容易、かつ低コストに実現できる。
【００２４】
図５（Ａ）は、非磁性部７ａ、７ｂを田の字状磁心３の主巻線１ａおよび主巻線１ｂ巻装部の二箇所に、直線磁路に対して対称に配置した例である。非磁性部７ａ、７ｂは、主磁束φ１ａ、φ１ａ’、φ１ｂ、φ１ｂ’各々の主磁路上にあれば良く、図５（Ａ）に記載したように、主磁束φ１ａ、φ１ａ’の共通部及び主磁束φ１ｂ、φ１ｂ’の共通部の２箇所に非磁性部を配置しても良いし、図５（Ｂ）に記載したように、主磁束各々の４箇所乃至６箇所に非磁性部７ａ、７ｂ、７ｃ、７ｄ、７ｅ、７ｆを配置しても良い。
【００２５】
即ち、非磁性部の配置方法は、制御磁束が通る直線磁路に対して対称の配置であれば、位置および設置数とも様々な配置方法が可能である。
ただ、制御電流による制御損失を意慮すると、制御磁束の通路の磁気抵抗を増加させないことが好ましいので、主磁束のみが通る磁路部に設けるのが好ましい。
【００２６】
図６は、中央脚に主巻線１ａを、外脚に制御巻線２ａ及び２ｂを巻回した第１のＥ形カットコア１０ａと第２のＥ形カットコア１０ｂを対向させて形成した三脚磁心と、中央脚に主巻線１ｂを、外脚に制御巻線２ｃ及び２ｄを巻回した第３のＥ形カットコア１０ｃと第４のＥ形カットコア１０ｄを対向させて形成した三脚磁心の、２組の三脚磁心それぞれに非磁性部７ａ、７ｂを配置し、磁路が田の字状になるように対向させて構成したものである。
【００２７】
本構成によれば、高磁束密度鋼板を適用したＥ形カットコアが使用できることから、コアの設計磁束密度を高くすることができ、機器のコンパクト化が図れるとともに、低コストの電磁機器を実現することができる。
【００２８】
図７は、中央脚に主巻線１ａを、外脚に制御巻線２ａ及び２ｂを巻回した第１のＥ形磁心４ａと第１のＩ形磁心５ａで形成し、非磁性部７を配置した三脚磁心と、中央脚に主巻線１ｂを、外脚に制御巻線２ｃ及び２ｄを巻回した第２のＥ形磁心４ｂと第２のＩ形磁心５ｂで形成し、非磁性部７ａ、７ｂを配置した三脚磁心を、磁路が田の字状になるように、境界面１２を介して対向させ、第１のＥ形磁心４ａとＩ形磁心５ａの接合面及び第２のＥ形磁心４ｂと第２のＩ形磁心５ｂの接合面は、磁心を構成する各々の積層鋼板を平行になるように突き合わせて構成したものである。
【００２９】
本構成によれば、主巻線１ａ及び制御巻線２ａ、２ｂを巻き回したＥ形磁心４ａ及びＩ形磁心５ａで構成される磁心部と、主巻線１ｂ及び制御巻線２ｃ、２ｄを巻き回したＥ形磁心４ｂ及びＩ形磁心５ｂで構成される磁心部を、それぞれ別個に製作することが可能となり、磁気回路の構造及び巻線の巻装構造が簡単で、主巻線に流れる電流の影響を受けずに、直流制御電流を流さない領域乃至小さい領域を含めた全領域において、リアクタンスを高速且つ連続的に可変できる電磁機器の製作を、容易に、かつ低コストに実現できる。
【００３０】
なお、境界面１２において、５ａ、５ｂの鋼板積層面を精度良く突き合わせ構成することは一般に難しく、積層鋼板間の短絡により渦電流損が増加する場合があるが、境界面１２に電気抵抗の高い絶縁フィルムなどを挿入することにより、容易且つ低コストに防止することが可能である。
【００３１】
図８は、本発明の電磁機器の電圧補償装置への適用例を示した図である。電磁機器１１の主巻線を送電線路に直列に挿入し、制御電流を調整して主巻線のリアクタンスを制御することにより、系統に生じる電圧変動を連続的に補償するようにしたものである。
主巻線が送電線路に直列に挿入されているので、主巻線に流れる電流は電力系統の負荷の変動により小電流から大電流に大きく変動するので、主巻線の通電電流による高調波歪対策は厳しいものとなる。
可変変圧器などのように、主巻線が送電線路に並列に挿入される機器では、線路の電圧が大幅に変動することはないので主巻線の励磁電流も大幅に変動することはないのと大きく相違する点である。
【００３２】
図９は、本発明の電磁機器を多機能変圧器へ適用した応用例を説明するための図である。
図１で示した本発明の電磁機器において、主巻線を一次巻線８ａ、８ｂとし、さらに一次巻線８ａ、８ｂを巻回した脚それぞれに、二次巻線９ａ、９ｂを巻回して一次巻線と同様に接続して構成した多機能変圧器である。
【００３３】
図９において、一次巻線に交流電源を接続し二次巻線には負荷を接続し、二次巻線に図示矢印方向の二次電流ＩＬ２が流れたとする。直流制御電流を流さない場合には、一次巻線８ａ及び８ｂには、上記二次電流で発生した磁束を打ち消すように一次電流ＩＬ１が流れ、全体として変圧器動作を示す。
【００３４】
制御巻線に直流制御電流Ｉｃを流すと、制御巻線の巻数と直流制御電流Ｉｃの積で表される起磁力が発生することで透磁率が変化し、主磁束が制御される。一次巻線８ａによる主磁束φ１ａ及びφ１ａ’と一次巻線８ｂによる主磁束φ１ｂ及びφ１ｂ’はそれぞれが互いに逆向きの磁束であるため相殺され、その結果、一次巻線と鎖交する主磁束が減少する。
【００３５】
このため、一次巻線には直流制御電流の制御に伴う主磁束の減少に応じて、一次巻線の端子間電圧を維持するために必要な主磁束を発生させるよう、端子間電圧に対し、遅れ位相である励磁電流が増加する。
【００３６】
遅れ位相の電流は無効電力を発生することから、変圧器としての機能に加えて、直流制御電流を調整することで無効電力の調整が可能な多機能変圧器を実現することができる。
多機能変圧器として使用する場合でも、小電流ではあっても励磁電流の高調波歪を低減することができる。
【００３７】
なお、多機能変圧器を請求項１の電磁機器に適用して説明したが、本発明で記載した他の電磁機器についても適用可能なことは明らかである。
【００３８】
また、一次巻線と二次巻線が独立した絶縁変圧器による多機能変圧器について例示したが、単巻変圧器においても同様の機能が実現できることは明らかである。
【００３９】
以上に詳述したように、本発明によれば、磁気回路の構造及び巻線の巻装構造が簡単で、タップを設けることなく、負荷電流の有無に拘わらず、電力系統に直列に接続可能で、直流制御電流を流さない領域乃至小さい領域を含めた全領域において高調波電流を抑制し、広範囲にリアクタンスを可変する電磁機器の製作を、容易に、かつ低コストに実現することができ、近年の電力需要の増大や負荷の多様化により、系統電圧の変動等負荷の多様化に対応できるフレキシブルな電力設備の提供がはかられ、電力系統の電圧の安定化に寄与できる。
【００４０】
なお、上記の他、この発明の要旨を逸しない範囲で種々変形して実施することができる。
【図面の簡単な説明】
【００４１】
【図１】本発明による単相形電磁機器の基本構成の一例を示す接続図である。
【図２】非磁性部の線形性イメージ図である。
【図３】本発明による磁心と非磁性部の合成による非線形性改善イメージ図である。
【図４】電磁機器の制御特性例を示す図である。
【図５】本発明による電磁機器の他の基本構成例を示す接続図である。
【図６】本発明による電磁機器の他の基本構成例を示す接続図である。
【図７】本発明による電磁機器の他の基本構成例を示す接続図である。
【図８】本発明を電圧補償装置に適用した例を示す接続図である。
【図９】本発明を多機能変圧器へ適用した例を示す接続図である。
【図１０】本出願人が先に提案した電磁機器の一例を示す接続図である。
【図１１】電磁気器における磁心の非線形性による歪み発生イメージ図である。
【図１２】電磁気器における直流制御電流を流すことによる歪みの低下イメージ図である。
【符号の説明】
【００４２】
１（１ａ、１ｂ）…主巻線、２（２ａ、２ｂ、２ｃ、２ｄ）…制御巻線、３…田の字状磁心、４（４ａ、４ｂ）…Ｅ型磁心、５（５ａ、５ｂ）…Ｉ型磁心、６…制御回路、７（７ａ、７ｂ、７ｃ、７ｄ、７ｅ、７ｆ）…非磁性部、８（８ａ、８ｂ）…一次巻線、９（９ａ、９ｂ）…二次巻線、１０（１０ａ、１０ｂ、１０ｃ、１０ｄ）…Ｅ型カットコア、１１…電磁機器、１２…境界面、３１（３１ａ、３１ｂ）…主巻線、３２（３２ａ、３２ｂ、３２ｃ、３２ｄ）…制御巻線、３３…田の字状磁心、３４…制御回路。
【図１】
2008004754.tif 000003
【図２】
2008004754.tif 000004
【図３】
2008004754.tif 000005
【図４】
2008004754.tif 000006
【図５】
2008004754.tif 000007
【図６】
2008004754.tif 000008
【図７】
2008004754.tif 000009
【図８】
2008004754.tif 000010
【図９】
2008004754.tif 000011
【図１０】
2008004754.tif 000012
【図１１】
2008004754.tif 000013
【図１２】
2008004754.tif 000014